(57)【特許請求の範囲】
【請求項１】
使用時においてウイルス侵入防止手段と、空気濾過ユニットと、が其々独立して配置されて成るエアーマスクであって、
前記ウイルス侵入防止手段は、衛生マスクと、排気路パットと、から成り、
前記衛生マスクは、使用者の鼻孔部と口元部領域を覆う通気性を有する平型マスクまたは立体成型マスクで形成されると共に、両側端に耳掛け部を設けて成り、
前記排気路パットは、窪み状の排出経路を形成すると共に、使用者の鼻孔部と口元領域部を回避する凹部状の隙間空間を形成して、前記衛生マスクの内面に重ね合わせて成り、
前記空気濾過ユニットは、少なくとも、濾過したエアーを顔面と前記衛生マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、
使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にすることによって使用者の吸気の絶対必要量を確保すると共に、使用者の呼気を外気方向に誘導し、さらにマスク本体の周縁の隙間空間から呼気とエアーがマスク本体外に自然排出されることによってマスク本体の周縁付近に浮遊するウイルスの侵入を阻止することができることを特徴とするエアーマスク。
【請求項２】
使用時においてウイルス侵入防止手段と、空気濾過ユニットと、が其々独立して配置されて成るエアーマスクであって、
前記ウイルス侵入防止手段は、衛生マスクと、排気路パットと、から成り、
前記衛生マスクは、使用者の鼻孔部と口元部領域を覆う通気性を有する平型マスクまたは立体成型マスクで形成されると共に、両側端に耳掛け部を設け、さらに該衛生マスクの内側には多目的シートを収納することができるポケット部を形成して成り、
前記排気路パットは、窪み状の排出経路を形成すると共に、使用者の鼻孔部と口元領域部を回避する凹部状の隙間空間を形成して、前記衛生マスクの内面に重ね合わせて成り、
前記空気濾過ユニットは、少なくとも、濾過したエアーを顔面と前記衛生マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、
使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にすることによって使用者の吸気の絶対必要量を確保すると共に、使用者の呼気を外気方向に誘導し、さらにマスク本体の周縁の隙間空間から呼気とエアーがマスク本体外に自然排出されることによってマスク本体の周縁付近に浮遊するウイルスの侵入を阻止することができることを特徴とするエアーマスク。
【請求項３】
使用時においてウイルス侵入防止手段と、空気濾過ユニットと、が其々独立して配置されて成るエアーマスクであって、
前記ウイルス侵入防止手段は、不通気性マスクと、排気路パットと、から成り、
前記不通気性マスクは、使用者の鼻孔部と口元部領域を覆う不通気性の素材で形成されるか、またはマスク本体の前面に樹脂コーティング加工を施した平型マスクまたは立体成型マスクで形成されると共に、両側端に耳掛け部を設けて成り、
前記排気路パットは、窪み状の排出経路を形成すると共に、使用者の鼻孔部と口元領域部を回避する凹部状の隙間空間を形成して、前記不通気性マスクの内面に重ね合わせて成り、
前記空気濾過ユニットは、少なくとも、濾過したエアーを顔面と前記不通気性マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、
使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にすることによって使用者の吸気の絶対必要量を確保すると共に、使用者の呼気を外気方向に誘導し、さらにマスク本体の周縁の隙間空間から呼気とエアーがマスク本体外に自然排出されることによってマスク本体の周縁付近に浮遊するウイルスの侵入を阻止することができることを特徴とするエアーマスク。
【請求項４】
使用時においてウイルス侵入防止手段と、空気濾過ユニットと、が其々独立して配置されて成るエアーマスクであって、
前記ウイルス侵入防止手段は、透明樹脂マスクと、排出阻止部材と、から成り、
前記透明樹脂マスクは、使用者の鼻孔部と口元部領域を覆う透明樹脂部材による平型マスクで形成されると共に、両側端に耳掛け部を設けて成り、
前記排出阻止部材は、透明且つ柔軟な素材で形成される略矩形の形状を有して前記透明樹脂マスクの上辺部に貼設して成り、
前記空気濾過ユニットは、少なくとも、濾過したエアーを顔面と前記透明樹脂マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、
前記空気濾過ユニットの吐出パイプに穿設される吐出孔を上方に向けてマスク本体の下方に配置すると共に、該吐出パイプの略中央部に所定の長さを有する吐出孔被塞クリップを被塞して成り、
使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にして使用者の吸気の絶対必要量を確保すると共に、使用者の呼気を透明樹脂マスクの外周面と顔面との間に形成される隙間空間を利用して外気方向に誘導し、さらにその呼気とエアーがマスク本体外に自然排出されることによってマスク本体の周縁付近に浮遊するウイルスの侵入を阻止することができることを特徴とするエアーマスク。
【請求項５】
使用時においてウイルス侵入防止手段と、空気濾過ユニットと、が其々独立して配置されて成るエアーマスクであって、
前記ウイルス侵入防止手段は、キルティングマスクから成り、
前記キルティングマスクは、使用者の鼻孔部と口元部領域を覆う通気性を有する平型マスクまたは立体成型マスクで形成されると共に、両側端に耳掛け部を設けると共に、マスク本体の表地と、裏地がずれないようにミシン掛けしたキルティング生地で形成される空間部を連通するエアー通風路を形成し、マスク本体の上方に配置される吐出パイプに穿設される吐出孔を下方に向けてマスク本体の上辺部に形成される挿通空間部に挿通して成り、
前記空気濾過ユニットは、少なくとも、濾過したエアーを顔面と前記キルティングマスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、
使用時において、ウイルス侵入防止手段と、空気濾過ユニットとを、独立した状態で配置することで、マスク本体の装着重量感を軽減すると同時に、マスク本体と顔面の間の隙間空間にキルティング生地内に形成されるエアー通風路を通して濾過したエアーを送風することでマスク本体の内側を高圧にして使用者の吸気の絶対必要量を確保すると共に、使用者の呼気をキルティング生地の縫い目によって形成される窪み部を利用して外気方向に誘導し、さらにマスク本体の周縁の隙間空間から呼気とエアーがマスク本体外に自然排出されることによってマスク本体の周縁付近に浮遊するウイルスの侵入を阻止することができることを特徴とするエアーマスク。
【発明の詳細な説明】
【技術分野】
【０００１】
本発明は、使用時において、ウイルス侵入防止手段と、空気濾過ユニットとを、独立した状態で配置することで、マスクの装着重量感を軽減すると同時に、マスクと顔面の間の隙間空間に濾過したエアーを送風してマスクの内側を高圧にすることによって使用者の吸気の絶対必要量を確保すると共に、使用者の呼気を外気方向に誘導し、さらにマスクの周縁の隙間空間から呼気とエアーがマスク本体外に自然排出されることによってマスクの周縁付近に浮遊するウイルスの侵入を阻止することができるエアーマスクに関する。
【背景技術】
【０００２】
従来より、一般的に使用される布（ガーゼ）マスクの装着効果は、外界の花粉や他人の咳やくしゃみなどで飛び散った飛沫の拡散抑止には効果があるとされるが、空気中に浮遊する細かい飛沫を十分に捕捉することはできないとされ、さらに洗濯による再利用は使用者の環境によって様々に異なることから衛生的な観点から推奨されることはなく、むしろ一部の専門家からは多くの衛生的弊害が伴うことが指摘されている。
【０００３】
従来における布（ガーゼ）マスクならびに不織布マスクに求められる衛生・感染防止効果は、外界の花粉や他人の咳やくしゃみなどで飛び散った飛沫に含まれる細菌やウイルスを防ぐことにある。
特に、布（ガーゼ）マスクの場合、よく野球場とボールの比較で言われるように、布の繊維の隙間はウイルス（約０．１マイクロメートル）の大きさより大きく、ほとんどの布（ガーゼ）マスクでは防止効果はないとされる一方、布の繊維網を通過する間に、ブラウン運動をするウイルスには一定の捕捉効果があることが報告されている。
【０００４】
そのようなマスク効果の効能を踏まえ、その使用される環境に合わせて多様なマスクが提供されている。
例えば、布（ガーゼ）マスクは、外界の花粉や他人の咳やくしゃみなどで飛び散った飛沫に含まれる唾液の粒やウイルスの飛散を防ぐことを目的として提供されている。
【０００５】
ちなみに、東京大医科学研究所の河岡義裕教授によってウイルスを漏らさない部屋でマネキンとウイルスを使った実験での飛散するウイルスの透過率は６０〜８０％と高く、その実験内容は米科学誌「msphere」の電子版に掲載されている。
また、不織布マスクは、不織布の繊維の隙間に工場などの製造ならびに作業時に発生する塵埃やブラウン運動をするウイルスを防ぐことを目的として提供されている。
マネキンとウイルスを使った実験での飛散するウイルスの透過率は５０％前後である。
【０００６】
一方、Ｎ９５マスクは、空気中に浮遊する細かい飛沫やウイルス（約０．１マイクロメートル）や患者から発生される咳、くしゃみ、血液、分泌液、唾液、汗、おう吐物等の感染源物質や、水分、薬液、塵埃等の他に微粒子物質「ＰＭ２．５」など大気中を浮遊する粒子径２．５マイクロメートル以下の微粒子などの有害粒子を防ぐことを目的として提供されている。
ちなみに、東京大医科学研究所の河岡義裕教授によってウイルスを漏らさない部屋でマネキンとウイルスを使った実験での飛散するウイルスの透過率は１０〜２０％と低い。
【０００７】
しかしながら、上記における何れのマスクも、マスクと顔の間から流入する空気を抑え込まなくてはならない問題が残るもので、それを解決するにはマスクと顔の間を密着させる必要があるが、現実的にはマスクの構造上、マスクと顔の間からウイルス（約０．１マイクロメートル）や、微粒子物質「ＰＭ２．５」などが侵入してしまうことを防ぐことができないもので、マスクによる防御効果はほとんどないと主張する研究者も多い。
【０００８】
以上における従来のマスクに共通している問題点は、マスクと顔の間から流入する外気やウイルスを抑え込むことができる有力な手段（構造）が講じられていないことにある。そこで、顔面の前面にエアーを大量に噴出させてその勢いでウイルスの侵入を阻止するマスクの提案がなされている。
【０００９】
例えば、皮膚密着力が優れることはもちろん、ユーザの顎周辺部にエアーカーテンを形成して外部の有害物質が入り込むことを遮断することにより、ユーザの呼吸器を保護することができる保健マスク「エアーカーテンを用いた有害物質遮断保健マスク」（特許文献１）が提案され、公知技術となっている。
【００１０】
しかしながら、係る「エアーカーテンを用いた有害物質遮断保健マスク」の提案は、ユーザの呼吸器系を含んで顔の一部領域を覆って装着し、内部空間を形成する本体部と、本体部を顔の一部領域に密着するために、本体部の周りに沿って配置される密着部と、本体部を顔の一部領域に固定するために、本体部の両側部に配置される耳掛け部と、外部空気を浄化して本体部の内部空間に供給するために、本体部の両側部に配置されるフィルタ部と、本体部の周囲にエアーカーテンを形成して外部物質の流入を遮断するために、本体部上に形成されるエアーカーテン組成手段と、を含んで構成されるものではあるが、該保健マスクには、フィルタ、空気ノズル、空気取り入れ口、送風ファンなどのエアーカーテン組成手段等の多様な構成部品が組み込まれるため、保健マスク自体が複雑構造となることによって重量的にも外形的にも嵩張ることから長時間の使用に対して使用者の装着疲労度が増大すると共に、コスト的に高価であることや、使い捨て使用ができないといった問題や、エアーカーテン方式を採ることによって、大量のエアーの吐出量を必要とすることで、その発生装置や顔面に噴射される風圧感や発生音が多大となるといった問題があるものであった。
【００１１】
また、マスクの周縁の隙間から呼気とエアーが外気に排出されることで、ウイルスの侵入を阻止するマスクの提案がなされている。
例えば、マスクのフィルタ本体を通して空気を吸引するためのファンを取り付けた「ファン装置を備えるフェースマスク」（特許文献２）が提案され、公知技術となっている。
【００１２】
しかしながら、係る「ファン装置を備えるフェースマスク」の提案は、着用者の少なくとも鼻及び口を覆う形状を有し、周縁部により輪郭が定められ、更に、外表面と、着用者の鼻及び口に隣接する内部空間を形成する内表面とを備えるフィルタ本体と、フィルタ本体に取り付けられ、フィルタ本体を着用者の皮膚に保持するよう構成される固定手段と、作動したときフィルタ本体を直接通る空気流の少なくとも一部を吸引するように、フィルタ本体の外表面に形成されるファンと、を備えている手段を採用したフェースマスクは、フェースマスク自体が多様な構成部品が組み込まれることによって複雑構造となることから長時間の使用に対して使用者の装着疲労度が増大すると共に、先方が尖った内部空間を有することで下向き作業をする場合に視界の一部が遮断される難点があり、さらにコスト的に高価であることや、使い捨て使用ができないといった問題があるものであった。
【００１３】
また、電源として太陽電池を使用して、空気中の有害成分を濾過して清浄な空気を供給する「太陽電池で稼働するファン付きマスク」（特許文献３）が提案され、公知技術となっている。
【００１４】
しかしながら、係る「太陽電池で稼働するファン付きマスク」の提案は、口と鼻を覆うマスクに、外部空気を吸気する為のファンを形成し、このファンには外部空気を濾過するフィルターを設け、ファンを稼働させる電源として太陽電池をマスクに形成していることによって、該ファン付きマスクには、送風ファン、フィルタ、太陽電池がファン付きマスク組み込まれているため、ファン付きマスク自体が複雑構造となることから重量的にも外形的にも嵩張ることによって、長時間の使用に対して使用者の装着疲労度が増大すると共に、コスト的に高価であることや、使い捨て使用ができないといった問題があると同時に、使用時において、使用者の呼気がマスクの周辺から排出される構造においてその効果に問題があるものであった。
【００１５】
また、インフルエンザ等の細菌や花粉、アレルギー源やホコリ等の侵入を本格的に防止する、爽やかな送風装置を付けた鼻マスクで形成される「感染予防マスク」（特許文献４）が提案され、公知技術となっている。
【００１６】
しかしながら、係る「感染予防マスク」の提案は、衛生通気基体の外空気の取入側に、除菌防臭フィルターを設け、次に該基体内部にポンプまたはファン付マイクロモーターを設け、さらには通過する衛生空気を通す、通気フレキ管を衛生通気基体の内部前面に密封固着して設け、この通気フレキ管を延ばした先端に、鼻マスクを密着して設け、そしてまた衛生通気基体を装着支持する電池内蔵ヘッドベルトを設けた、ヘッドバーチューブを装着し、該チューブの頭部側先端に丸ゴムストッパーを設け、最後に電池内蔵ヘッドベルトから、ヘッドバーチューブの内部を通して、電源スイッチそしてポンプまたはファン付マイクロモーターへ配線を施して成る手段を採っていることによって、通気フレキ管の先端に鼻マスクが密着されていることで、鼻呼吸を強制的に強いられると共に、長時間の装着に疲労感や違和感が伴うものであり、さらに口元が開放されていることによって口からのウイルスが侵入する危険性があるといった問題があるものであった。
【００１７】
本出願人は、マスク本体の周辺から流入するウイルスの遮断方法に着目し、使用時において、ウイルス侵入防止手段と、空気濾過ユニットとを、独立した状態で配置することで、マスクの装着重量感を軽減すると同時に、マスクと顔面の間の隙間空間に濾過したエアーを送風してマスクの内側を高圧にすることによって使用者の吸気の絶対必要量を確保すると共に、使用者の呼気を外気方向に誘導し、さらにマスクの周縁の隙間空間から呼気とエアーがマスク本体外に自然排出されることによってマスクの周縁付近に浮遊するウイルスの侵入を阻止することができるエアー式のマスクを開発し、本発明における「エアーマスク」の提案に至るものである。
【先行技術文献】
【特許文献】
【００１８】
【特許文献１】特表２０１９−５０１７２１号公報
【特許文献２】特表２００３−５００１７８号公報
【特許文献３】特開２０１１−２８８号公報
【特許文献４】実用新案登録第３１５５６４２号公報
【発明の概要】
【発明が解決しようとする課題】
【００１９】
本発明は上記問題点を鑑み、本発明のエアーマスクは、使用時において、ウイルス侵入防止手段と、空気濾過ユニットとを、独立した状態で配置することで、マスクの装着重量感を軽減すると同時に、マスクと顔面の間の隙間空間に濾過したエアーを送風してマスクの内側を高圧にすることによって使用者の吸気の絶対必要量を確保すると共に、使用者の呼気を外気方向に誘導し、さらにマスクの周縁の隙間空間から呼気とエアーがマスク本体外に自然排出されることによってマスクの周縁付近に浮遊するウイルスの侵入を阻止することができるエアーマスクの提供を図ることを課題とする。
【課題を解決するための手段】
【００２０】
本発明は上記課題を解決するためになされるもので、本発明におけるエアーマスクは、使用時においてウイルス侵入防止手段と、空気濾過ユニットと、が其々独立して配置されて成るエアーマスクであって、前記ウイルス侵入防止手段は、衛生マスクと、排気路パットと、から成り、前記衛生マスクは、使用者の鼻孔部と口元部領域を覆う通気性を有する平型マスクまたは立体成型マスクで形成されると共に、両側端に耳掛け部を設けて成り、前記排気路パットは、窪み状の排出経路を形成すると共に、使用者の鼻孔部と口元領域部を回避する凹部状の隙間空間を形成して、前記衛生マスクの内面に重ね合わせて成り、前記空気濾過ユニットは、少なくとも、濾過したエアーを顔面と前記衛生マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にすることによって使用者の吸気の絶対必要量を確保すると共に、使用者の呼気を外気方向に誘導し、さらにマスク本体の周縁の隙間空間から呼気とエアーがマスク本体外に自然排出されることによってマスク本体の周縁付近に浮遊するウイルスの侵入を阻止することができる手段を採る。
【００２１】
また、本発明におけるエアーマスクは、使用時においてウイルス侵入防止手段と、空気濾過ユニットと、が其々独立して配置されて成るエアーマスクであって、前記ウイルス侵入防止手段は、衛生マスクと、排気路パットと、から成り、前記衛生マスクは、使用者の鼻孔部と口元部領域を覆う通気性を有する平型マスクまたは立体成型マスクで形成されると共に、両側端に耳掛け部を設け、さらに該衛生マスクの内側には多目的シートを収納することができるポケット部を形成して成り、前記排気路パットは、窪み状の排出経路を形成すると共に、使用者の鼻孔部と口元領域部を回避する凹部状の隙間空間を形成して、前記衛生マスクの内面に重ね合わせて成り、前記空気濾過ユニットは、少なくとも、濾過したエアーを顔面と前記衛生マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にすることによって使用者の吸気の絶対必要量を確保すると共に、使用者の呼気を外気方向に誘導し、さらにマスク本体の周縁の隙間空間から呼気とエアーがマスク本体外に自然排出されることによってマスク本体の周縁付近に浮遊するウイルスの侵入を阻止することができる手段を採る。
【００２２】
また、本発明におけるエアーマスクは、使用時においてウイルス侵入防止手段と、空気濾過ユニットと、が其々独立して配置されて成るエアーマスクであって、前記ウイルス侵入防止手段は、不通気性マスクと、排気路パットと、から成り、前記不通気性マスクは、使用者の鼻孔部と口元部領域を覆う不通気性の素材で形成されるか、またはマスク本体の前面に樹脂コーティング加工を施した平型マスクまたは立体成型マスクで形成されると共に、両側端に耳掛け部を設けて成り、前記排気路パットは、窪み状の排出経路を形成すると共に、使用者の鼻孔部と口元領域部を回避する凹部状の隙間空間を形成して、前記不通気性マスクの内面に重ね合わせて成り、前記空気濾過ユニットは、少なくとも、濾過したエアーを顔面と前記衛生マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にすることによって使用者の吸気の絶対必要量を確保すると共に、使用者の呼気を外気方向に誘導し、さらにマスク本体の周縁の隙間空間から呼気とエアーがマスク本体外に自然排出されることによってマスク本体の周縁付近に浮遊するウイルスの侵入を阻止することができる手段を採る。
【００２３】
また、本発明におけるエアーマスクは、使用時においてウイルス侵入防止手段と、空気濾過ユニットと、が其々独立して配置されて成るエアーマスクであって、前記ウイルス侵入防止手段は、透明樹脂マスクと、排出阻止部材と、から成り、前記透明樹脂マスクは、使用者の鼻孔部と口元部領域を覆う透明樹脂部材による平型マスクで形成されると共に、両側端に耳掛け部を設けて成り、前記排出阻止部材は、透明且つ柔軟な素材で形成される略矩形の形状を有して前記透明樹脂マスクの上辺部に貼設して成り、前記空気濾過ユニットは、少なくとも、濾過したエアーを顔面と前記透明樹脂マスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、前記空気濾過ユニットの吐出パイプに穿設される吐出孔を上方に向けてマスク本体の下方に配置すると共に、該吐出パイプの略中央部に所定の長さを有する吐出孔被塞クリップを被塞して成り、使用時において、ウイルス侵入防止手段と、空気濾過ユニットとを、独立した状態で配置することで、マスク本体の装着重量感を軽減すると同時に、マスク本体と顔面の間の隙間空間に濾過したエアーを送風してマスク本体の内側を高圧にして使用者の吸気の絶対必要量を確保すると共に、使用者の呼気を透明樹脂マスクの外周面と顔面との間に形成される隙間空間を利用して外気方向に誘導し、さらにその呼気とエアーがマスク本体外に自然排出されることによってマスク本体の周縁付近に浮遊するウイルスの侵入を阻止することができる手段を採る。
【００２４】
また、本発明におけるエアーマスクは、使用時においてウイルス侵入防止手段と、空気濾過ユニットと、が其々独立して配置されて成るエアーマスクであって、前記ウイルス侵入防止手段は、キルティングマスクから成り、前記キルティングマスクは、使用者の鼻孔部と口元部領域を覆う通気性を有する平型マスクまたは立体成型マスクで形成されると共に、両側端に耳掛け部を設けると共に、マスク本体の表地と、裏地がずれないようにミシン掛けしたキルティング生地で形成される空間部を連通するエアー通風路を形成し、マスク本体の上方に配置される吐出パイプに穿設される吐出孔を下方に向けてマスク本体の上辺部に形成される挿通空間部に挿通して成り、前記空気濾過ユニットは、少なくとも、濾過したエアーを顔面と前記キルティングマスクの間に供給する電動送風ファンと、空気中に浮遊するウイルスを濾過する機能を有して前記電動送風ファンに着脱自在に装着される濾過フィルターと、充電式バッテリーと、電源ジャック口と、ＯＮ／ＯＦＦ切替スイッチと、風量調整ダイヤルと、電気回路基板類を備える制御操作装置と、濾過したエアーを吐出パイプに供給する塑性材料素材で形成される送風供給パイプと、濾過したエアーを使用者の鼻孔部と口元部領域付近に吐出する複数の吐出孔を穿設して脱着自在に形成される吐出パイプと、ユニット自体に装着される連結具と、で構成されて成り、使用時において、ウイルス侵入防止手段と、空気濾過ユニットとを、独立した状態で配置することで、マスク本体の装着重量感を軽減すると同時に、マスク本体と顔面の間の隙間空間にキルティング生地内に形成されるエアー通風路を通して濾過したエアーを送風することでマスク本体の内側を高圧にして使用者の吸気の絶対必要量を確保すると共に、使用者の呼気をキルティング生地の縫い目によって形成される窪み部を利用して外気方向に誘導し、さらにマスク本体の周縁の隙間空間から呼気とエアーがマスク本体外に自然排出されることによってマスク本体の周縁付近に浮遊するウイルスの侵入を阻止することができる手段を採る。
【発明の効果】
【００２５】
本発明におけるエアーマスクによれば、ウイルス侵入防止手段と空気濾過ユニットとを、独立した状態で配置することで、マスクの装着重量感を軽減すると同時に、マスクと顔面の間の隙間空間に濾過したエアーを送風してマスクの内側を高圧にすることによって使用者の吸気の絶対必要量を確保すると共に、使用者の呼気を外気方向に誘導し、さらにマスクの周縁の隙間空間から呼気とエアーがマスク本体外に自然排出されることによってマスクの周縁付近に浮遊するウイルスの侵入を阻止することができる、といった優れた効果を奏する。
【００２６】
また、本発明におけるエアーマスクによれば、ウイルス侵入防止手段と空気濾過ユニットが独立していることで、低価格帯のマスクの使用が可能になることから大量に消費する医療機関のランニングコストの低廉が図れると共に、緊急時において品薄状態となっているＮ９５マスクの代用ができる、といった優れた効果を奏する。
【００２７】
また、本発明におけるエアーマスクによれば、使用時において吐出されるエアーの向きや吐出量を自在に調節できることから、メガネの曇り、ドライアイ現象、マスク内の呼気の籠り現象、マスク本体内の温度上昇等の問題を解消することができる、といった優れた効果を奏する。
【００２８】
また、本発明におけるエアーマスクによれば、使用者の鼻孔部と口元領域部を回避する凹部状の隙間空間を形成する排気路パットを重ね合わせて使用することによって、使用者の呼気を外気方向に誘導することができると共に、その呼気とエアーがマスク本体外に排出されることでマスク本体の周縁付近の空気中に浮遊するにウイルスの侵入が阻止される、といった優れた効果を奏する。
【００２９】
また、本発明におけるエアーマスクによれば、マスク本体の内側にポケット部が形成されことによって、清涼感が得られる清涼シート、口臭を吸収する活性炭シート、香料感が得られる香料シート、温熱効果が得られる温熱シート、冷却効果が得られる冷却シート、防塵性を高める防塵シート、細菌効果を高めるウイルス除去シート、通気性を遮断する防水シート、マスクの形状を整える成形シート、ポケット部から折り返し状に装着して使用する交換ガーゼシート、肌荒れを防止するスキンケア交換ガーゼシート等の使用者の目的に合わせた多目的シートを収納することができる、といった優れた効果を奏する。
【００３０】
また、本発明におけるエアーマスクによれば、ウイルス侵入防止手段の表地が不通気性の部材で形成するかまたは樹脂コーティング加工を施すことによって、衛生マスクの前面からのウイルスの侵入を完全に阻止することができる、といった優れた効果を奏する。
【００３１】
また、本発明におけるエアーマスクによれば、ウイルス侵入防止手段が、透明樹脂マスクで形成されることによって、口元が常に他人から視認することができると共に、マスク本体の側方および下方に排出されるエアーによってマスク本体の周縁付近の空気中に浮遊するにウイルスの侵入を阻止することができる、といった優れた効果を奏する。
【００３２】
また、本発明におけるエアーマスクによれば、ウイルス侵入防止手段が、不通気性の表地と、通気性の裏地がずれないようにマス目状にミシン掛けしたキルティング生地で形成されることによって、マスク本体内にエアーを送風してもマスク自体が大きく膨らむことがない上、マスク本体の周縁の隙間空間から呼気とエアーがマスク本体外に自然排出されることによってマスク本体の周縁付近に浮遊するウイルスの侵入を阻止することができる、といった優れた効果を奏する。
【００３３】
また、本発明におけるエアーマスクによれば、太陽電池モジュールを使用者の頭部を覆う覆被部材に配設することで、使用者の使用環境に合わせて室内、野外を問わずに自由に使用することができる、といった優れた効果を奏する。
【図面の簡単な説明】
【００３４】
【図１】本発明のエアーマスクの実施形態を示す説明図である。    （実施例１）
【図２】本発明のエアーマスクの別の実施形態を示す説明図である。（実施例２）
【図３】本発明のエアーマスクの別の実施形態を示す説明図である。（実施例３）
【図４】本発明のエアーマスクの別の実施形態を示す説明図である。（実施例４）
【図５】本発明のエアーマスクの別の実施形態を示す説明図である。（実施例５）
【図６】本発明のエアーマスクの起電形態の実施例を示す説明図である。
【発明を実施するための形態】
【００３５】
本発明におけるエアーマスク１０は、使用時において、ウイルス侵入防止手段２０と、空気濾過ユニット３０とを、独立した状態で配置することで、マスク本体２２の装着重量感を軽減すると同時に、マスク本体２２と顔面の間の隙間空間２６に濾過したエアーＥを送風してマスク本体２２の内側を高圧にすることによって使用者の吸気の絶対必要量を確保すると共に、使用者の呼気Ｃを外気方向に誘導し、さらにマスク本体２２の周縁の隙間空間２６から呼気ＣとエアーＥがマスク本体２２外に自然排出されることによってマスク本体２２の周縁付近に浮遊するウイルスの侵入を阻止することができる手段を採ったことを最大の特徴とする。以下、本発明の実施形態を図面に基づいて説明する。
【００３６】
尚、本発明のエアーマスク１０は、以下に述べる実施例に限定されるものではなく、本発明の技術的思想の範囲内、すなわち同一の作用効果を発揮できる形状及び寸法の範囲内で、適宜変更することができる。
また、本明細書中に単に「エアー」と記載される語句は、濾過された後の空気を意味すると共に、単に「空気」と記載される語句は、濾過される前の状態の空気を意味する。
【実施例１】
【００３７】
図１は、本発明のエアーマスクの実施形態を示す説明図である。
図１（a）は、本発明におけるエアーマスク１０の全体斜視図である。
本発明におけるエアーマスク１０は、使用時においてウイルス侵入防止手段２０と、空気濾過ユニット３０と、が其々独立して配置されて成るエアーマスク１０であって、該ウイルス侵入防止手段２０は、衛生マスク１１と、排気路パット２４と、から成り、該衛生マスク１１は、使用者の鼻孔部と口元部領域を覆う通気性を有する平型マスクまたは立体成型マスクで形成されると共に、両側端に耳掛け部２３を設けて成り、排気路パット２４は、窪み状の排出経路２５を形成すると共に、使用者の鼻孔部と口元領域部を回避する凹部状の隙間空間２６を形成して、衛生マスク１１の内面に重ね合わせて成る手段を採ることができる。
【００３８】
ウイルス侵入防止手段２０は、少なくとも使用者の鼻孔部と口元部領域を覆う衛生マスク１１と、排気路パット２４から形成されるものである。
【００３９】
衛生マスク１１は、マスク本体２２と排気路パット２４とで構成され、顔の鼻孔部と口元部領域を覆った天然繊維布または合成樹脂繊維素材によって形成されるもので、高精度の濾過機能を有するフィルター付きのマスクではなく、市販の安価且つ簡易構造の平型の布（ガーゼ）マスクや、立体成型マスク、ウレタンマスク等を使用して形成される。
【００４０】
マスク本体２２は、使用者の鼻孔部と口元部領域を覆う通気性を有する略矩形の平マスクまたは立体成型マスクで形成されて、両側端には装着手段として耳掛け部２３が設けられて形成される。材質的には、肌触りの良い天然繊維素材または合成繊維素材で形成されるもので不通気性・通気性の機能は特に要求されない。
【００４１】
排気路パット２４は、マスク本体２２の内側に配置され、使用者の鼻孔部と口元領域部を回避する凹部状の隙間空間２６を有してマスク本体２２の形状に対して一回り小さい矩形の形状に形成される。
材質的には、例えば、柔軟性を有する肌触りの良い天然繊維素材または合成繊維素材で形成されるもので不通気性・通気性の機能は特に要求されない。
【００４２】
排出経路２５は、排気路パット２４の内側に窪み状に設けられるもので、鼻孔部と口元部からの呼吸気の通気路を確保すると共に、マスク本体２２内に供給されたエアーＥと使用者から吐出される呼気Ｃを外気方向に誘導する目的で形成される。
【００４３】
隙間空間２６は、顔面とマスク本体２２の間に形成される隙間空間と、排気路パット２４の使用者の鼻孔部と口元領域部を回避する凹部状に形成される隙間空間であって、吐出孔３７から排出されたエアーＥと使用者の鼻孔部と口元部から排気される呼気Ｃが充満するエリアであり、この顔面とマスク本体２２の間に隙間空間２６が形成されることで、少ないエアーＥの供給量で呼気Ｃを速やかにマスク本体２２外に排出することができると共に、外部からのウイルスの侵入を阻止することができる空間である。
【００４４】
空気濾過ユニット３０は、エアーＥを顔面と衛生マスク１１の間に供給する電動送風ファン３１と、空気中に浮遊するウイルスを濾過する機能を有して該電動送風ファン３１に着脱自在に装着される濾過フィルター３３と、充電式バッテリー３４と、切替スイッチ、電源ジャック口４４、ＯＮ／ＯＦＦ切替スイッチ、風量調整ダイヤル、電気回路基板類を備える制御操作装置３２等と、で構成される。
【００４５】
）電動送風ファン３１は、空気中に浮遊するウイルスを濾過フィルター３３によって濾過したエアーＥを電力供給バッテリー３４を稼働電力として顔面と衛生マスク１１の間に供給する小型軽量のマイクロファンで形成される。
【００４６】
制御操作装置３２は、電源ジャック口４４、ＯＮ／ＯＦＦ切替スイッチ、風量調整ダイヤル、電気回路基板類を備えて形成される。
【００４７】
濾過フィルター３３は、）電動送風ファン３１に組み込まれる形状を有して形成されるもので、高濾過精度を備えるフィルターまたは、飛沫防止用の布体、又は塵埃防止用の不識布、又は細菌防止用のフィルターを備えて）電動送風ファン３１に交換可能に装着される。
また、濾過フィルター３３の構成としては、例えば、複数のシートを積層した積層構造を有し、積層されるシート間に活性炭、遠赤外線放射素材、金属箔、鉄粉含有発熱素材、不織紙、不織布、ポリウレタン、マイナスイオン発生素材、磁石、吸湿発熱素材等から１または２以上を含んで構成される。
【００４８】
充電式バッテリー３４は、充電式の乾電池や小型バッテリーによって電力が供給される稼働電力源である。
【００４９】
送風供給パイプ３５は、濾過フィルター３３で濾過されたエアーＥを）電動送風ファン３１によって吐出パイプ３６に供給するパイプであって、使用される人の顔や頭部の形状に合わせてフレキシブルに変形できる塑性材料素材（銅、アルミ、鉄及び形状記憶合成樹脂）等で所定の長さを有して形成される。
【００５０】
吐出パイプ３６は、使用される人の顔の形状に合わせてフレキシブルに変形できる塑性材料素材（銅、アルミ、鉄及び形状記憶合成樹脂）等で形成されて送風供給パイプ３５の先端に連結され、濾過フィルター３３によって濾過したエアーＥが吐出される複数の吐出孔３７を備えて形成されるもので、衛生マスク１１の上辺部付近に配設されることによって、濾過したエアーＥを使用者の鼻孔部ならびに口元部領域に排出する構造に形成される。また、吐出パイプ３６の吐出孔３７を下向きに向けることによって、使用者の鼻孔部ならびに口元部から排出される呼気ＣをエアーＥの流れに沿ってマスク本体２２外に速やかに排出すると共に、新しい濾過したエアーＥを使用者の鼻孔部ならびに口元部領域に供給することでマスク本体２２の内側の息の籠りを防止する同時にマスク本体２２の周縁付近の空気中に浮遊するウイルスの侵入を阻止する役割を果たす。
【００５１】
頭部取付手段３８は、空気濾過ユニット３０を使用者の頭部に装着する目的で形成されるもので、例えば、ゴムバンド、締め付けバンド、カチューシャ、オーバーヘッドキャリア、キャップ（帽子）などによって形成される。
【００５２】
装着手段２９は、空気濾過ユニット３０をゴムバンド、締め付けバンド、カチューシャ、オーバーヘッドキャリア、キャップ（帽子）、胸ポケット、腰ベルト、首紐などに装着する目的で形成されるもので、例えば、クリップ、平面ファスナー、ボタン、バンド通しなどによって形成される。
【００５３】
エアーＥは、外部の空気Ｒを濾過フィルター３３で濾過し、該濾過したエアーＥを電動送風ファン３１によって塑性材料素材で形成される送風供給パイプ３５に送風し、さらにその濾過したエアーＥを吐出パイプ３６を介して吐出孔３７より吐出されるもので、そのエアーＥの効果は、吸気の絶対吸入量を安定的に確保すると共に顔面とマスク本体２２の間の隙間空間２６を外気よりやや高圧にすることで空気中に浮遊するウイルスの侵入を阻止する役目と、使用者の鼻孔ならびに口元から排出される呼気Ｃをマスク本体２２外に速やかに排出する役目を果たすものである。
【００５４】
図１（b）は、本発明のエアーマスク１０の使用状態を示す説明図である。
使用者の鼻孔部ならびに口元部上方に配置された吐出パイプ３６の吐出孔３７から排出されたエアーＥの流れに沿って、使用者の鼻孔部ならびに口元部及びマスクの網目の隙間から排出される呼気Ｃを速やかにマスク本体２２外に排出させると同時に、呼気Ｃの上方への排出を防ぐことでメガネの曇りや、ドライアイ現象を防ぐことができる。
【００５５】
図１（c）は、本発明のエアーマスク１０のエアーＥの通風状態を示す断面説明図である。
（１））電動送風ファン１によって空気濾過ユニット３０内に空気Ｒ（外気）が吸引される。
（２）吸引された空気Ｒ（外気）が濾過フィルター３３によって濾過される。
（３）塑性材料素材で形成される送風供給パイプ３５が使用者の鼻孔部ならびに口元部領域付近の顔面の形状に合わせて適宜に曲げられて配設される。
（４）送風供給パイプ３５の先端に連結される吐出パイプ３６の吐出孔３７を下方に向け、その吐出孔３７から濾過したエアーＥが下向きに吐出される。
（５）排気路パット２４の隙間空間２６に充満したエアーＥと、使用者の呼気Ｃが排出経路２５を通過してマスク本体２２外に排出される。
（６）エアーＥがマスク本体２２外に排出されることでマスク本体２２の周縁付近の空気中に浮遊するにウイルスの侵入が阻止される。
【００５６】
以上で構成される本発明のエアーマスク１０は、使用時において、衛生マスク１１と空気濾過ユニット３０とを、独立した状態で配置することで、マスク本体２２の装着重量感を軽減すると同時に、マスク本体２２の内面と顔面の間に濾過したエアーＥを送風することで使用者の呼気Ｃを外気方向に誘導し、さらに吸気の絶対吸入量を安定的に確保し、さらにまた、マスク本体２２の周縁から呼気とエアーＥがマスク本体２２外に排出されることでマスク本体２２の周縁付近の空気中に浮遊するウイルスの侵入を阻止することができると共に、医療用マスクを大量に消費する医療機関のランニングコストの低廉が図れ、さらに使用時において吐出されるエアーＥの向きや吐出量を自在に調節できることから、メガネの曇り、ドライアイ現象の防止、マスク本体２２内の呼気Ｃの籠り現象による温度上昇等の多くの問題を解消することができるエアーマスク１０の提供を可能にする。
【実施例２】
【００５７】
図２は、本発明のエアーマスクの別の実施形態を示す説明図である。
図２（a）は、本発明におけるエアーマスク１０の全体斜視図である。
本発明におけるエアーマスク１０は、使用時においてウイルス侵入防止手段２０と、空気濾過ユニット３０と、が其々独立して配置されて成るエアーマスク１０であって、該ウイルス侵入防止手段２０は、衛生マスク１１と、排気路パット２４と、から成り、該衛生マスク１１は、使用者の鼻孔部と口元部領域を覆う通気性を有する平型マスクまたは立体成型マスクで形成されると共に、両側端に耳掛け部２３を設け、さらに衛生マスク１１の内側には多目的シート５０を収納することができるポケット部４９を形成して成る手段を採ることができる。
尚、空気濾過ユニット３０は、実施例１と同様の構成であるため、その説明の一部を省略する。
【００５８】
排気路パット２４は、マスク本体２２の内側に配置され、使用者の鼻孔部と口元領域部を回避する凹部状の隙間空間２６を有してマスク本体２２の形状に対して一回り小さい矩形の形状に形成される。
材質的には、例えば、柔軟性を有する肌触りの良い天然繊維素材または合成繊維素材で形成されるもので不通気性・通気性の機能は特に要求されない。
【００５９】
排出経路２５は、排気路パット２４の内側に窪み状に設けられるもので、鼻孔部と口元部からの呼吸気の通気路を確保すると共に、マスク本体２２内に供給されたエアーＥと使用者から吐出される呼気Ｃをマスク本体２２外に排出する目的で形成される。
【００６０】
ポケット部４９は、使用者の目的に合わせた多目的シート５０を収納することができるポケット状の空間部で、衛生マスク１１（マスク本体２２）の内側に形成される。
【００６１】
多目的シート５０は、ポケット部４９に出し入れ可能な略矩形の形状に形成されるシート状の部材で形成される。例えば、清涼感が得られる清涼シート、口臭を吸収する活性炭シート、香料感が得られる香料シート、温熱効果が得られる温熱シート、冷却効果が得られる冷却シート、防塵性を高める防塵シート、細菌効果を高めるウイルス除去シート、通気性を遮断する防水シート、マスクの形状を整える成形シート、ポケット口から折り返し状に装着して使用する交換ガーゼシート、肌荒れを防止するスキンケアシート、マイナスイオン発生素材シート、不織紙シート、不織布シート、金属箔シート、遠赤外線放射素材シート等で形成される。
【００６２】
エアーＥは、外部の空気Ｒを濾過フィルター３３で濾過し、該濾過したエアーＥを）電動送風ファン３１によって塑性材料素材で形成される送風供給パイプ３５に送風し、さらにその濾過したエアーＥを吐出パイプ３６を介して吐出孔３７より吐出されるもので、そのエアーＥの効果は、吸気の絶対吸入量を安定的に確保すると共に顔面とマスク本体２２の間の隙間空間２６を外気よりやや高圧にすることで空気中に浮遊するウイルスの侵入を阻止する役目と、使用者の鼻孔ならびに口元から排出される呼気Ｃをマスク本体２２外に速やかに排出する役目を果たすものである。
【００６３】
隙間空間２６は、顔面とマスク本体２２の間に形成される隙間空間と、排気路パット２４の使用者の鼻孔部と口元領域部を回避する凹部状に形成される隙間空間であって、吐出孔３７から排出されたエアーＥと使用者の鼻孔部と口元部から排気される呼気Ｃが充満するエリアであり、この顔面とマスク本体２２の間に隙間空間２６が形成されることで、少ないエアーＥの供給量で呼気Ｃを速やかにマスク本体２２外に排出することができると共に、外部からのウイルスの侵入を阻止することができる空間である。
【００６４】
図２（b）は、本発明のエアーマスク１０の使用状態を示す説明図である。
使用者の鼻孔部ならびに口元部上方に配置された吐出パイプ３６の吐出孔３７から排出されたエアーＥの流れに沿って、使用者の鼻孔部ならびに口元部から排出される呼気Ｃを速やかにマスク本体２２外に排出させると同時に、呼気Ｃの上方への排出を防ぐことでメガネの曇りや、ドライアイ現象を防ぐことができる。
【００６５】
図２（c）は、本発明のエアーマスク１０のエアーＥの通風状態を示す断面説明図である。
（１））電動送風ファン３１によって空気濾過ユニット３０内に空気Ｒ（外気）が吸引される。
（２）吸引された空気Ｒ（外気）が濾過フィルター３３によって濾過される。
（３）塑性材料素材で形成される送風供給パイプ３５が使用者の鼻孔部ならびに口元部領域付近の顔面の形状に合わせて適宜に曲げられて配設される。
（４）送風供給パイプ３５の先端に連結される吐出パイプ３６の吐出孔３７を下方に向け、その吐出孔３７から濾過したエアーＥが吐出される。
（５）排気路パット２４の隙間空間２６に吐出孔３７から吐出されたエアーＥの流れと、使用者の呼気Ｃが排出経路２５を通過してマスク本体２２外に排出される。
（６）エアーＥがマスク本体２２外に排出されることでマスク本体２２の周縁付近の空気中に浮遊するにウイルスの侵入が阻止される。
（７）マスク本体２２の内側に形成されるポケット部４９に清涼感が得られる清涼シート、口臭を吸収する活性炭シート、香料感が得られる香料シート、温熱効果が得られる温熱シート、冷却効果が得られる冷却シート、防塵性を高める防塵シート、細菌効果を高めるウイルス除去シート、通気性を遮断する防水シート、マスクの形状を整える成形シート、ポケット口から折り返し状に装着して使用する交換ガーゼシート、肌荒れを防止するスキンケアシート、マイナスイオン発生素材シート、不織紙シート、不織布シート、金属箔シート、遠赤外線放射素材シート等、使用者の目的に合わせた多目的シートを収納する。
【００６６】
以上で構成される本発明のエアーマスク１０は、使用時において、ウイルス侵入防止手段２０（衛生マスク１１）と、空気濾過ユニット３０とを、独立した状態で配置することで、マスク本体２２の装着重量感を軽減すると同時に、マスク本体２２の内面と顔面の間に濾過したエアーＥを送風することで使用者の呼気Ｃを外気方向に誘導し、さらに吸気の絶対吸入量を安定的に確保し、さらにまた、マスク本体２２の周縁から呼気とエアーＥがマスク本体２２外に排出されることでマスク本体２２の周縁付近の空気中に浮遊するウイルスの侵入を阻止することができると共に、マスク本体２２の内側にポケット部４９が形成されることによって、使用者の目的に合わせた多目的シート５０を収納することができるエアーマスク１０の提供を可能にする。
【実施例３】
【００６７】
図３は、本発明のエアーマスクの別の実施形態を示す説明図である。
図３（a）は、本発明におけるエアーマスク１０の全体斜視図である。
本発明のエアーマスク１０は、使用時においてウイルス侵入防止手段２０と、空気濾過ユニット３０と、が其々独立して配置されて成るエアーマスク１０であって、該ウイルス侵入防止手段２０は、不通気性マスク１４と、排気路パット２４と、から成り、該不通気性マスク１４は、使用者の鼻孔部と口元部領域を覆う不通気性の素材で形成されるか、またはマスク本体の前面に樹脂コーティング加工を施した平型マスクまたは立体成型マスクで形成されると共に、両側端に耳掛け部２３を設けて成り、排気路パット２４は、窪み状の排出経路２５を形成すると共に、使用者の鼻孔部と口元領域部を回避する凹部状の隙間空間２６を形成して、不通気性マスク１４の内面に重ね合わせて成る手段を採ることができる。
尚、空気濾過ユニット３０は、実施例１と同様の構成であるため、その説明の一部を省略する。
【００６８】
不通気性マスク１４は、使用者の鼻孔部と口元部領域を覆う不通気性の素材で形成されるか、またはマスク本体の前面に樹脂コーティング加工を施した平型マスクまたは立体成型マスクで形成されると共に、両側端に耳掛け部２３を設けて成り、素材は、例えば、合成樹脂製シート及びフィルム、合成化学繊維、合成樹脂素材などが使われる。
【００６９】
排気路パット２４は、マスク本体２２内側に配置され、使用者の鼻孔部と口元領域部を回避する凹部状の隙間空間２６を有してマスク本体２２の形状に対して一回り小さい矩形の形状に形成される。
材質的には、例えば、柔軟性を有する肌触りの良い天然繊維素材または合成繊維素材で形成されるもので不通気性・通気性の機能は特に要求されない。
【００７０】
排出経路２５は、排気路パット２４の内側に窪み状に設けられるもので、鼻孔部と口元部からの呼吸気の通気路を確保すると共に、マスク本体２２内に供給されたエアーＥと使用者から吐出される呼気Ｃを外気方向に排出する目的で形成される。
【００７１】
エアーＥは、外部の空気Ｒを濾過フィルター３３で濾過し、該濾過したエアーＥを電動送風ファン３１によって塑性材料素材で形成される送風供給パイプ３５に送風し、さらにその濾過したエアーＥを吐出パイプ３６を介して吐出孔３７より吐出されるもので、そのエアーＥの効果は、吸気の絶対吸入量を安定的に確保すると共に顔面とマスク本体２２の間の隙間空間２６を外気よりやや高圧にすることで空気中に浮遊するウイルスの侵入を阻止する役目と、使用者の鼻孔ならびに口元から排出される呼気Ｃをマスク本体２２外に速やかに排出する役目を果たすものである。
【００７２】
隙間空間２６は、顔面とマスク本体２２の間に形成される隙間空間と、排気路パット２４の使用者の鼻孔部と口元領域部を回避する凹部状に形成される隙間空間であって、吐出孔３７から排出されたエアーＥと使用者の鼻孔部と口元部から排気される呼気Ｃが充満するエリアであり、この顔面とマスク本体２２の間に隙間空間２６が形成されることで、少ないエアーＥの供給量で呼気Ｃを速やかにマスク本体２２外に排出することができると共に、外部からのウイルスの侵入を阻止することができる空間である。
【００７３】
吐出パイプ３６は、送風供給パイプ３５の先端に連結され、濾過フィルター３３によって濾過されたエアーＥが上方に吐出される複数の吐出孔３７を備えて形成されるもので、ブリッジ式の透明マスク２１の下辺部付近に配設されることによって、濾過されたエアーＥを使用者の鼻孔ならびに口元領域に排出する役目を果たす。
【００７４】
樹脂コーティング加工は、合成樹脂、天然ゴム等をマスク本体２２の表地２７に塗布して不通気性の素材とするものである。
【００７５】
図３（b）は、本発明のエアーマスク１０の使用状態を示す説明図である。
使用者の鼻孔部ならびに口元部上方に配置された吐出パイプ３６の吐出孔３７から排出されたエアーＥの流れに沿って、使用者の鼻孔部ならびに口元部から排出される呼気Ｃを排気路パット２４の排出経路２５によって速やかにマスク本体２２外に排出させることができると同時に、呼気Ｃの上方への排出を防ぐことで、メガネの曇りや、ドライアイ現象を防ぐものである。
【００７６】
図３（c）は、本発明のエアーマスク１０のエアーＥの通風状態を示す断面説明図である。
（１））電動送風ファン３１によって空気濾過ユニット３０内に空気Ｒ（外気）が吸引される。
（２）吸引された空気Ｒ（外気）が濾過フィルター３３によって濾過される。
（３）塑性材料素材で形成される送風供給パイプ３５が使用者の鼻孔部ならびに口元部領域付近で顔面の形状に合わせて適宜に曲げられて配設される。
（４）送風供給パイプ３５の先端に連結される吐出パイプ３６の吐出孔３７を下方に向け、その吐出孔３７から濾過したエアーＥが吐出される。
（５）排気路パット２４の隙間空間２６に吐出孔３７から吐出されたエアーＥと、使用者の呼気Ｃが、排気路パット２４の排出経路２５を通過してマスク本体２２外に排出される。
（６）エアーＥがマスク本体２２外に排出されることでマスク本体２２の周縁付近の空気中に浮遊するにウイルスの侵入が阻止される。
【００７７】
以上で構成される本発明のエアーマスク１０は、マスク本体２２の表地２７が不通気性の素材で形成するかまたは樹脂コーティング加工を施すことによって、マスク本体２２の前面からのウイルスの侵入を完全に阻止することができる共に、マスク本体２２の表地２７にインフクリンスプレー塗布や光触媒処理などの抗菌処理加工を施すことによって、ウイルスの付着や増殖ならびに透過を軽減することができるエアーマスク１０の提供を図ることもできる。
【実施例４】
【００７８】
図４は、本発明のエアーマスクの別の実施形態を示す説明図である。
図４（a）は、本発明のエアーマスクの装着状態を示す全体斜視図である。
本発明におけるエアーマスク１０は、使用時においてウイルス侵入防止手段２０と、空気濾過ユニット３０と、が其々独立して配置されて成るエアーマスク１０であって、該ウイルス侵入防止手段２０は、透明樹脂マスク１２と、排出阻止部材４０と、から成り、空気濾過ユニット３０の吐出パイプ３６に穿設される吐出孔３７を上方に向けてマスク本体２２の下方に配置すると共に、該吐出パイプ３６の略中央部に所定の長さを有する吐出孔被塞クリップ４７を被塞して成る手段を採ることができる。
【００７９】
透明樹脂マスク１２は、使用者の鼻孔部と口元部領域を覆う透明樹脂部材による平型マスクで形成されると共に、両側端に耳掛け部２３を設けて形成される。
また、透明な樹脂シート板４６の表面にＡＶカット加工や透明カラーを着色することで美容を目的とする透明樹脂マスク１２とすることもできる。
尚、空気濾過ユニット３０は、実施例１と同様の構成であるため、その一部の部品を除いて説明を省略する。
【００８０】
排出阻止部材４０は、マスク本体２２の上辺部に貼着されてメガネの曇りやドライアイ現象を防止する役割を果たすもので、例えば、透明な形状保持プラスチック部材や柔軟な且つ透明な塩ビ樹脂成型材で形成される。
【００８１】
吐出孔被塞クリップ４７は、吐出パイプ３６の中央部に所定の長さを有して、スリットが入ったパイプ状のクリップを吐出パイプ３６の外側から被せられる形状に形成され、使用時においては、吐出パイプ３６の略中央の鼻孔部ならびに口元部位置に装着されるもので、吐出パイプ３６の略中央部を吐出孔被塞クリップ４７（使用者の鼻孔からの呼気Ｃの排出を妨げない手段）によって被塞することで、吐出孔３７から吐出されるエアーＥが使用者の鼻孔部ならびに口元部に直接当たらないように回避して排出するものである。
【００８２】
エアーＥは、外部の空気Ｒを濾過フィルター３３で濾過し、該濾過したエアーＥを電動送風ファン３１によって塑性材料素材で形成される送風供給パイプ３５に送風し、さらにその濾過したエアーＥを吐出パイプ３６を介して吐出孔３７より吐出されるもので、そのエアーＥの効果は、吸気の絶対吸入量を安定的に確保すると共に顔面とマスク本体２２の間の隙間空間２６を外気よりやや高圧にすることで空気中に浮遊するウイルスの侵入を阻止する役目と、使用者の鼻孔ならびに口元から排出される呼気Ｃをマスク本体２２外に速やかに排出する役目を果たすものである。
【００８３】
隙間空間２６は、顔面とマスク本体２２の間に形成される隙間空間であって、吐出孔３７から排出されたエアーＥと使用者の鼻孔部と口元部から排気される呼気Ｃが充満するエリアであり、この顔面とマスク本体２２の間に隙間空間２６が形成されることで、少ないエアーＥの供給量で呼気Ｃを速やかにマスク本体２２外に排出することができると共に、外部からのウイルスの侵入を阻止することができる空間である。
【００８４】
図４（b）は、本発明のエアーマスク１０の使用状態を示す説明図である。
衛生マスク１１が、透明な樹脂シート板４６で形成されることで、使用者の顔全体が遮蔽物がないクリアな状態で視認することができる。
また、衛生マスク１１の上辺部に透明且つ柔軟な排出阻止部材４０（眼部の方へエアーＥが排出されない構造）を貼設されることで、使用者の鼻孔や口元から排出される呼気Ｃによるメガネの曇り、ドライアイ現象を解消することができる。
さらに、透明樹脂マスク１２の下辺部に吐出パイプ３６を配設し、該吐出パイプ３６に穿設される吐出孔３７を上方に向けて装着することで、エアーＥがマスク本体２２外に排出されることでマスク本体２２の周縁付近の空気中に浮遊するにウイルスの侵入が阻止される。
【００８５】
図４（c）は、本発明のエアーマスク１０におけるエアーＥの通気状態を示す断面説明図である。
吐出パイプ３６の中央部に所定の長さを有する吐出孔被塞クリップ４７（使用者の鼻孔からの呼気Ｃの排出を妨げない手段）を設けることによって、吐出パイプ３６から吐出されたエアーＥは吐出孔被塞クリップ４７によって左右に分断された状態で上方の透明な樹脂シート板４６で形成された衛生マスク１１と使用者の頬との密着された領域に突き当り、顔面のほうれい線の凹部に沿って下方に排出されるものである。
【００８６】
（１））電動送風ファン３１によって空気濾過ユニット３０内に空気Ｒ（外気）が吸引される。
（２）吸引された空気Ｒ（外気）が濾過フィルター３３によって濾過される。
（３）塑性材料素材で形成される送風供給パイプ３５が使用者の鼻孔部ならびに口元部領域付近で顔面の顎部形状に合わせて適宜に曲げられて配設される。
（４）送風供給パイプ３５の先端に連結される吐出パイプ３６の吐出孔３７を上方に向け、その吐出孔３７から濾過したエアーＥが吐出される。
（５）吐出された濾過したエアーＥが両頬の一部に突き当たることによって、マスク本体２２の側方に排出される。
（６）さらに、吐出孔３７から吐出されたエアーＥが透明な樹脂シート板４６と顔面の間の隙間空間２６に流れ込むことよって使用者の呼気Ｃがその流れに沿ってマスク本体２２外に排出される。
（７）エアーＥがマスク本体２２外に排出されることでマスク本体２２の周縁付近の空気中に浮遊するにウイルスの侵入が阻止される。
【００８７】
以上で構成される本発明のエアーマスク１０は、衛生マスク１１が透明な樹脂シート板４６で形成されることによって、口元が常に他人から視認できると共に、透明な樹脂シート板４６の表面にＡＶカット加工や透明カラーを着色することで美容を目的とするエアーマスク１０とすることもできる。
さらに、マスク本体２２の前方ならびに側方および下方に吐出されるエアーＥによってマスク本体２２の周縁付近の空気中に浮遊するにウイルスの侵入を阻止することができるエアーマスク１０の提供を可能にする。
【実施例５】
【００８８】
図５は、本発明のエアーマスクの別の実施形態を示す説明図である。
図５（a）は、本発明のエアーマスクの装着状態を示す説明図である。
本発明のエアーマスク１０は、使用時においてウイルス侵入防止手段２０と、空気濾過ユニット３０と、が其々独立して配置されて成るエアーマスク１０であって、該ウイルス侵入防止手段２０は、キルティングマスク１３から成り、該キルティングマスク１３は、使用者の鼻孔部と口元部領域を覆う通気性を有する平型マスクまたは立体成型マスクで形成されると共に、両側端に耳掛け部２３を設けると共に、マスク本体２２の表地２７と、裏地２８がずれないようにミシン掛けしたキルティング生地で形成される空間部５１を連通するエアー通風路５３を形成し、該マスク本体２２の上方に配置される吐出パイプ３６に穿設される吐出孔３７を下方に向けてマスク本体２２の上辺部に形成される挿通空間部５２に挿通して成る手段を採ることができる。
尚、空気濾過ユニット３０は、実施例１と同様の構成であるため、その説明の一部を省略する。
【００８９】
空間部５１は、ウイルス侵入防止手段２０の表地２７と、裏地２８がずれないようにマス目状にミシン掛けしたキルティング生地で形成されるもので、エアーＥはその生地の繊維の隙間から流出することでマスク本体２２の周縁付近の空気中に浮遊するにウイルスの侵入を阻止する役目を果たすものである。
【００９０】
エアー通風路５３は、マス目状の空間部５１と空間部５１を連結するエアーＥの通風路であって、マスク本体２２の上辺部に形成される挿通空間部５２に連通すると共に、その他の空間部５１にエアーＥを送る役割を果たすものである。
【００９１】
縫目凹部５４は、空間部５１と空間部５１マス目状にミシン掛けされることで形成される凹部で、エアーＥと呼気Ｃが該凹部を通ってマスク本体２２の周縁から外部に排出されることでマスク本体２２の周縁付近の空気中に浮遊するにウイルスの侵入を阻止する役割を果たす。
【００９２】
エアーＥは、外部の空気Ｒを濾過フィルター３３で濾過し、該濾過したエアーＥを電動送風ファン３１によって塑性材料素材で形成される送風供給パイプ３５に送風し、さらにその濾過したエアーＥを吐出パイプ３６を介して吐出孔３７より吐出されるもので、そのエアーＥの効果は、吸気の絶対吸入量を安定的に確保すると共に顔面とマスク本体２２の間の隙間空間２６を外気よりやや高圧にすることで空気中に浮遊するウイルスの侵入を阻止する役目と、使用者の鼻孔ならびに口元から排出される呼気Ｃをマスク本体２２外に速やかに排出する役目を果たすものである。
【００９３】
隙間空間２６は、顔面とマスク本体２２の間に形成される隙間空間であって、吐出孔３７から排出されたエアーＥと使用者の鼻孔部と口元部から排気される呼気Ｃが充満するエリアであり、この顔面とマスク本体２２の間に隙間空間２６が形成されることで、少ないエアーＥの供給量で呼気Ｃを速やかにマスク本体２２外に排出することができると共に、外部からのウイルスの侵入を阻止することができる空間である。
【００９４】
図５（b）は、本発明のエアーマスク１０におけるエアーＥの通気状態を示す断面説明図である。
本発明のエアーマスク１０は、マスク本体２２の不通気性の表地２７に通気性の裏地２８をマス目状にミシン掛けして複数の空間部５１を形成し、該空間部５１同士をエアー通風路５３によって連通させ、さらにマスク本体２２の上方に配置される吐出パイプ３６に穿設される吐出孔３７を下方に向けて連通させることで、エアーＥがマス目状の空間部５１に順次充填され通気性の裏地２３の繊維の隙間からエアーＥがマスク本体２２と顔面の間に排出され、さらに該エアーＥと呼気Ｃが縫目凹部５４を通ってマスク本体２２の周縁から外気方向に排出されることでマスク本体２２の周縁付近の空気中に浮遊するにウイルスの侵入を阻止する役割を果たすものである。
【００９５】
図５（c）は、本発明のエアーマスク１０のエアーＥの通風状態を示す拡大断面説明図である。
（１）電動送風ファン３１によって空気濾過ユニット３０内に空気Ｒ（外気）が吸引される。
（２）吸引された空気Ｒ（外気）が濾過フィルター３３によって濾過される。
（３）塑性材料素材で形成される送風供給パイプ３５が使用者の鼻孔部ならびに口元部領域付近で顔面の形状に合わせて適宜に曲げられて配設される。
（４）送風供給パイプ３５の先端に連結される吐出パイプ３６の吐出孔３７を下方に向け、その吐出孔３７から濾過したエアーＥが吐出される。
（５）マスク本体２２の上辺部に形成される挿通空間部５２に吐出されたエアーＥはエアー通風路５３を通って空間部５１に通風され、さらにエアー通風路５３を通って次の空間部５１に順次通風される。
（６）空間部５１に充填されたエアーＥは、通気性の裏地２３の繊維の隙間から徐々に排出される。
（７）隙間空間２６に吐出されたエアーＥと、使用者の呼気Ｃが縫目凹部５４を通過してマスク本体２２外に排出される。
（８）エアーＥがマスク本体２２外に排出されることでマスク本体２２の周縁付近の空気中に浮遊するにウイルスの侵入が阻止される。
【００９６】
以上で構成される本発明のエアーマスク１０は、マスク本体２２の表地２７と、裏地２３がずれないようにマス目状にミシン掛けしたキルティング生地で形成されることによって、マスク本体２２内にエアーＥを送風してもマスク本体２２自体がマス目状の空間部５１によって大きく膨らむことがないと共に、マスク本体２２の周縁から呼気とエアーＥが外気方向に排出されることで、マスク本体２２の周縁付近の空気中に浮遊するウイルスの侵入を阻止することができるエアーマスク１０の提供を可能にする。
【００９７】
図６は、本発明のエアーマスクの起電形態の実施例を示す説明図である。
図６（a）は、本発明におけるエアーマスク１０の全体斜視図である。
本発明のエアーマスク１０は、例えば、頭部取付手段３８が使用者の頭部を覆う覆被部材４８により成形され、該被覆部材４８の表面には太陽電池モジュール４３が配設されると共に、該太陽電池モジュール４３の電源接続プラグ４５と空気濾過ユニット３０の制御操作装置３２に内蔵される電源ジャック口４４とが接続可能に構成された発電ユニット４１を備える手段を採ることができる。
【００９８】
発電ユニット４１は、使用者の頭部を覆う被覆部材４８の表面に太陽電池モジュール４３を配設すると共に、該太陽電池モジュール４３の電源接続プラグ４５と空気濾過ユニット３０の制御操作装置３２に内蔵される電源ジャック口４４とが接続可能に形成される。
【００９９】
太陽電池モジュール４３は、セルを必要数並べて、樹脂や強化ガラスで保護し、屋内外で使用できるように処理したもので「太陽電池パネル」とも呼ばれる。モジュール自体は単品で構成されているものではなく、パッケージ化された製品として完成されたものである。
【０１００】
覆被部材４８は、頭部取付手段３８の上方に位置して頭部全体を覆う形状に形成されるもので、例えば、ゴムバンド、締め付けバンド、カチューシャ、オーバーヘッドキャリア、キャップ（帽子）などによって形成される。
【０１０１】
図６（b）は、本発明の発電ユニット４１の装着状態を示す説明図である。
頭部を覆う覆被部材４８（キャップ）の表面に配置された太陽電池モジュール４３によって発電された電力を電源接続プラグ４５を介して制御操作装置３２に内蔵される電源ジャック口４４に接続することによって空気濾過ユニット３０の電動送風ファン３１を稼働させるもので、例えば、通勤移動、室内業務、手術室、野外活動、など幅広い範囲で使用することができる。
【０１０２】
以上で構成される本発明の発電ユニット４１付きのエアーマスク１０は、太陽電池モジュール４３を使用者の頭部全体を覆う覆被部材４８の表面に配設することで、使用者の使用環境に合わせて室内、野外を問わずに自由に使用できる発電ユニット４１付きのエアーマスク１０の提供を可能にする。
尚、上記起電形式は、ＤＣ電源によって稼働する実施例を述べているが、ＡＣ電源によって稼働する手段を採ることもできる。
【産業上の利用可能性】
【０１０３】
本発明のエアーマスクは、使用時において、ウイルス侵入防止手段と、空気濾過ユニットとを、独立した状態で配置することで、マスクの装着重量感を軽減すると同時に、マスクと顔面の間の隙間空間に濾過したエアーを送風してマスクの内側を高圧にすることによって使用者の吸気の絶対必要量を確保すると共に、使用者の呼気を外気方向に誘導し、さらにマスクの周縁の隙間空間から呼気とエアーがマスク本体外に自然排出されることによってマスクの周縁付近に浮遊するウイルスの侵入を阻止することができることから、本発明における「エアーマスク」の産業上の利用可能性は極めて大であるものと思料する。
【符号の説明】
【０１０４】
１０    エアーマスク
１１    衛生マスク
１２    透明樹脂マスク
１３    キルティングマスク
１４    不通気性マスク
２０    ウイルス侵入防止手段
２１    衛生マスク
２２    マスク本体
２３    耳掛け部
２４    排気路パット
２５    排出経路
２６    隙間空間
２７    表地
２８    裏地
２９    連結具
３０    空気濾過ユニット
３１    電動送風ファン
３２    制御操作装置
３３    濾過フィルター
３４    充電式バッテリー
３５    送風供給パイプ
３６    吐出パイプ
３７    吐出孔
３８    頭部取付手段
３９    装着手段
４０    排出阻止部材
４１    発電ユニット
４３    太陽電池モジュール
４４    電源ジャック口
４５    電源接続プラグ
４６    透明な樹脂シート板
４７    吐出孔被塞クリップ
４８    覆被部材
４９    ポケット部
５０    多目的シート
５１    空間部
５２    挿通空間部
５３    エアー通風路
５４    縫目凹部
Ｃ    呼気
Ｅ    エアー（濾過された後の空気）
Ｒ    空気  （濾過される前の空気）
【要約】      （修正有）【課題】エアーマスクの装着重量感を軽減すると同時に、使用者の吸気の絶対必要量を確保すると共に、使用者の呼気を外気方向へ誘導し、さらにエアーマスクの周縁の隙間空間から呼気とエアーがマスク本体外に自然排出されることによってエアーマスクの周縁付近に浮遊するウイルスの侵入を阻止するエアーマスクを提供する。【解決手段】本発明のエアーマスクは、使用時においてウイルス侵入防止手段と、空気濾過ユニットと、が其々独立して配置されて成り、ウイルス侵入防止手段は、衛生マスクと、排気路パットと、から成り、衛生マスクは、使用者の鼻孔部と口元部領域を覆う通気性を有する平型マスクまたは立体成型マスクで形成されると共に、両側端に耳掛け部が設けられ、排気路パットは、窪み状の排出経路を形成すると共に、使用者の鼻孔部と口元領域部を回避する凹部状の隙間空間を形成して、衛生マスクの内面に重ね合わせて構成される。【選択図】図１【図１】
0006941722.tif 000002
【図２】
0006941722.tif 000003
【図３】
0006941722.tif 000004
【図４】
0006941722.tif 000005
【図５】
0006941722.tif 000006
【図６】
0006941722.tif 000007